(57)【特許請求の範囲】
【請求項１】
少なくとも前後一対の針床を備え、前後の針床間で編目の目移しが可能な横編機を用いて、編地のウエール方向の途中に、編地の編幅方向の伸びを抑制する抑制部を形成する編地の編成方法において、
針床の長手方向の一方を寄せ方向としたとき、
一方の針床に係止される第一編目を、前記寄せ方向に近接する第二編目と重ね合わせ、これら第一編目と第二編目の重ね目のウエール方向に続く止め編目を編成する伏目処理を行なうと共に、前記第一編目および前記第二編目の少なくとも一方から分岐する新規ベース編目を形成することを繰り返すことで、前記抑制部を形成することを特徴とする編地の編成方法。
【請求項２】
基準となる前記第一編目を前記寄せ方向に移動させ、一方の針床上で前記第一編目に対して前記寄せ方向に近接する前記第二編目と重ね合わせて、前記重ね目を形成する工程α１と、
前記第一編目が移動する前に係止されていた一方の針床の編針に前記新規ベース編目を形成すること、および前記工程α１で形成された重ね目のウエール方向に続く前記止め編目を編成することを連続して行なう工程α２と、
を繰り返すことを特徴とする請求項１に記載の編地の編成方法。
但し、ｎを１以上の自然数としたとき、ｎ回目の工程α２における前記止め編目を、ｎ＋１回目の工程α１における前記第一編目と見做し、ｎ＋１回目の工程α１を行なう。
【請求項３】
基準となる前記第一編目、およびこの第一編目に対して前記寄せ方向に並ぶ複数の寄せ側編目に連続して割増しを行なうことで、これら第一編目および寄せ側編目を一方の針床から他方の針床に目移しすると共に、これら第一編目および寄せ側編目が係止されていた一方の針床の編針に複数の前記新規ベース編目を編成する工程β１を行なった後、
前記工程β１の割増しによって他方の針床に目移しされた前記寄せ側編目のうち、前記第一編目の寄せ方向に近接する前記寄せ側編目を前記第二編目と規定し、前記第一編目を前記寄せ方向に移動させて、他方の針床上で前記第一編目と前記第二編目とを重ね合わせて、前記重ね目を形成する工程β２と、
前記工程β２で形成された前記重ね目のウエール方向に続く前記止め編目を編成する工程β３と、
を繰り返すことを特徴とする請求項１に記載の編地の編成方法。
但し、ｎを１以上の自然数としたとき、ｎ回目の工程β３における前記止め編目を、ｎ＋１回目の工程β２における前記第一編目と見做し、ｎ＋１回目の工程β２を行なう。
【請求項４】
基準となる前記第一編目に割増しを行なうことで、前記第一編目を一方の針床から他方の針床に目移しすると共に、前記第一編目が係止されていた一方の針床の編針に前記新規ベース編目を編成する工程γ１と、
前記割増しを行なう前に一方の針床上で前記第一編目の寄せ方向に近接していた編目を前記第二編目と規定し、前記第一編目を前記寄せ方向に移動させて、一方の針床上で前記第一編目と前記第二編目とを重ね合わせて、前記重ね目を形成する工程γ２と、
前記工程γ２で形成された前記重ね目のウエール方向に続く前記止め編目を編成する工程γ３と、
を繰り返すことを特徴とする請求項１に記載の編地の編成方法。
但し、ｎを１以上の自然数としたとき、ｎ回目の工程γ３における前記止め編目を、ｎ＋１回目の工程γ１における前記第一編目と見做し、ｎ＋１回目の工程γ１を行なう。
【発明の詳細な説明】
【技術分野】
【０００１】
本発明は、編地のウエール方向の途中に、編地の編幅方向の伸びを抑制する抑制部を形成する編地の編成方法に関する。
【背景技術】
【０００２】
横編機を用いて編地を編成する際、編地のウエール方向の途中で、部分的に編地の編幅方向の伸びを抑制する抑制部を形成することがある。例えば、特許文献１には、ニット・タック・ミスを周期的に繰り返すことで、編地に厚みを持たせると共に、編地の編幅方向の伸びを抑制する編地の編成方法が開示されている。この特許文献１の編地の編成方法を利用して抑制部を形成すれば、部分的に抑制部が形成された編地を編成することができる。
【先行技術文献】
【特許文献】
【０００３】
【特許文献１】特許第４８４８３７０号公報
【発明の概要】
【発明が解決しようとする課題】
【０００４】
しかし、特許文献１の編地の編成方法で編成された抑制部は、平編みによって編成された平編み部に比べて収縮し難く、編成時にすでに編幅方向に拡がった状態として固定される。そのため、抑制部が弛んだようになる場合もある。【０００５】
本発明は上記事情に鑑みてなされたものであり、本発明の目的は、編地のウエール方向の途中に、編地の編幅方向の伸びを抑制する抑制部を形成する従来とは異なる編地の編成方法を提供することにある。
【課題を解決するための手段】
【０００６】
本発明者らは、編地のウエール方向の途中で抑制部を形成する編地の編成方法を鋭意検討した結果、抑制部の形成に伏目処理を利用することに想到した。ここで、伏目処理は、針床に係止される編目（第一編目）を、その隣の編目（第二編目）に重ね合わせ、第一編目と第二編目とからなる重ね目のウエール方向に続く編目（止め編目）を編成することを繰り返す公知の編成手法（例えば、特公平７−６５２５８号公報を参照）である。伏目処理では、近接する複数の編目を重ね合わせて固定するため、伏目処理された部分の編幅方向の伸びが抑えられる。しかし、この伏目処理は通常、編地のウエール方向の途中で利用されることはない。伏目処理は、編地のウエール方向の終端部が解れないようにする処理であって、伏目処理を行なうことで編地は針床から外れてしまうからである。このように従来であれば編地のウエール方向の途中で利用されることのない伏目処理を敢えて編地のウエール方向の途中で利用するにあたり、本発明者らは、その伏目処理された部分から分岐する足場となる新規ベース編目を編成することに想到し、本発明の編地の編成方法を完成させた。以下に、本発明の編地の編成方法を規定する。【０００７】
本発明の編地の編成方法は、少なくとも前後一対の針床を備え、前後の針床間で編目の目移しが可能な横編機を用いて、編地のウエール方向の途中に、編地の編幅方向の伸びを抑制する抑制部を形成する編地の編成方法である。この本発明の編地の編成方法では、針床の長手方向の一方を寄せ方向としたとき、一方の針床に係止される第一編目を、寄せ方向に近接する第二編目と重ね合わせ、これら第一編目と第二編目の重ね目のウエール方向に続く止め編目を編成する伏目処理を行なうと共に、第一編目および第二編目の少なくとも一方から分岐する新規ベース編目を形成することを繰り返すことで、抑制部を形成することを特徴とする。【０００８】
本発明における伏目処理には公知の伏目処理を利用することができる。抑制部の編目のループ長を、抑制部以外の部分の編目のループ長よりも小さくすることが好ましい。そうすることで抑制部の伸びを効果的に抑えることができる。あるいは、編幅方向に並ぶ複数目置きの編目に対して本発明の編地の編成方法を適用しても良い。例えば、編幅方向の奇数番目の編目に対して本発明の編地の編成方法を実施することと、偶数番目の編目に対して本発明の編地の編成方法を実施すること、とを交互または順次、実施すると良い。この場合、第一編目を寄せる距離が長くなり、第一編目が伸びきった状態となるため、抑制部の伸びをより抑えることができる。【０００９】
ここで、第一編目（第二編目）から新規ベース編目を分岐させるには、第一編目（第二編目）と新規ベース編目とが編糸で直接繋がった状態となるように新規ベース編目を編成する、あるいは第一編目（第二編目）に割増しを行なうと良い。なお、割増しは、公知の編成手法である（例えば、特許第２６０４６５３号公報を参照）。【００１０】
本発明の編地の編成方法の一形態として、以下の工程α１と工程α２とを繰り返す形態を挙げることができる。
［工程α１］…基準となる第一編目を寄せ方向に移動させ、一方の針床上で第一編目に対して寄せ方向に近接する第二編目と重ね合わせて、重ね目を形成する。
［工程α２］…第一編目が移動する前に係止されていた一方の針床の編針に新規ベース編目を形成すること、および工程α１で形成された重ね目のウエール方向に続く止め編目を編成することを連続して行なう。
但し、工程α１と工程α２とを繰り返す際、ｎ回目の工程α２における止め編目を、ｎ＋１回目の工程α１における第一編目と見做し、ｎ＋１回目の工程α１を行なう（ｎは１以上の自然数）。【００１１】
本発明の編地の編成方法の一形態として、以下の工程β１を行なった後、工程β２と工程β３とを繰り返す形態を挙げることができる。
［工程β１］…基準となる第一編目、およびこの第一編目に対して寄せ方向に並ぶ複数の寄せ側編目に連続して割増しを行なうことで、これら第一編目および寄せ側編目を一方の針床から他方の針床に目移しすると共に、これら第一編目および寄せ側編目が係止されていた一方の針床の編針に複数の新規ベース編目を編成する。
［工程β２］…工程β１の割増しによって他方の針床に目移しされた寄せ側編目のうち、第一編目の寄せ方向に近接する寄せ側編目を第二編目と規定し、第一編目を寄せ方向に移動させて、他方の針床上で第一編目と第二編目とを重ね合わせて、重ね目を形成する。
［工程β３］…工程β２で形成された重ね目のウエール方向に続く止め編目を編成する。
但し、工程β２と工程β３とを繰り返す際、ｎ回目の工程β３における止め編目を、ｎ＋１回目の工程β２における第一編目と見做し、ｎ＋１回目の工程β２を行なう（ｎは１以上の自然数）。【００１２】
本発明の編地の編成方法の一形態として、以下の工程γ１〜工程γ３を繰り返す形態を挙げることができる。
［工程γ１］…基準となる第一編目に割増しを行なうことで、第一編目を一方の針床から他方の針床に目移しすると共に、第一編目が係止されていた一方の針床の編針に新規ベース編目を編成する。
［工程γ２］…割増しを行なう前に一方の針床上で第一編目の寄せ方向に近接していた編目を第二編目と規定し、第一編目を寄せ方向に移動させて、一方の針床上で第一編目と第二編目とを重ね合わせて、重ね目を形成する。
［工程γ３］…工程γ２で形成された重ね目のウエール方向に続く止め編目を編成する。
但し、工程γ１〜工程γ３を繰り返す際、ｎ回目の工程γ３における止め編目を、ｎ＋１回目の工程γ１における第一編目と見做し、ｎ＋１回目の工程γ１を行なう（ｎは１以上の自然数）。
【発明の効果】
【００１３】
本発明の編地の編成方法によれば、抑制部の形成に伏目処理を利用しているため、当該抑制部が伸び難い。伏目処理では、近接する第一編目と第二編目とを重ね合わせた重ね目が形成されるため、これら第一編目と第二編目の編幅方向の動きが拘束されるからである。【００１４】
また、本発明の編地の編成方法では、伏目処理と共に、伏目処理によって重ねられる第一編目または第二編目から分岐する新規ベース編目を形成している。つまり、伏目処理によって針床から第一編目と第二編目が外れる代わりに、第一編目または第二編目から分岐する新規ベース編目が針床に形成される。そのため、新規ベース編目を足場にして編地の編成を継続することができる。
【図面の簡単な説明】
【００１５】
【図１】実施形態１に示す本発明の編地の編成方法に係る編成工程図である。
【図２】実施形態２に示す本発明の編地の編成方法に係る編成工程図である。
【図３】実施形態３に示す本発明の編地の編成方法に係る編成工程図である。
【図４】実施形態４に示す本発明の編地の編成方法を適用して編成された部分を有するシューズアッパーの概略構成図である。
【発明を実施するための形態】
【００１６】
以下、本発明の実施形態を図面に基づいて説明する。実施形態に示す編成はいずれも、少なくとも前後一対の針床を備え、前後の針床間で編目の目移しが可能な２枚ベッド横編機を用いた編成例である。もちろん、本発明の編地の編成方法に使用する横編機は、２枚ベッド横編機に限定されるわけではなく、例えば４枚ベッド横編機であっても良い。
【００１７】
＜実施形態１＞
実施形態１では、編地のウエール方向の途中で、編地の編幅方向の伸びを抑制する抑制部を編成する本発明の編地の編成方法の具体的な一例を、図１の編成工程図に基づいて説明する。適用対象は特に限定されず、例えばセーターやニットパンツ、あるいは後述する実施形態４に示すようにシューズアッパーでも良い。
【００１８】
≪編成工程≫
図１の編成工程図における左欄の「アルファベット＋数字」は編成工程の番号を示し、右欄には各編成工程における編目の係止状態が示されている。右欄の黒点は前針床（以下、ＦＢ）および後針床（以下、ＢＢ）に備わる編針、矢印は編目の目移しの方向、○は旧編目、●は新たに編成される編目、◎は重ね目、Ｖ字は掛け目を示す。また、図中の大文字アルファベットＡ〜Ｍは編針の位置を、白抜き矢印は寄せ方向ＤＲ（ＦＢ，ＢＢの長手方向の一方）の向きを示す。なお、後述する図２，図３の見方は図１と同様である。
【００１９】
Ｓ０には、編成途中にある編地の編目が、ＦＢの編針Ｂ，Ｄ，Ｆ，Ｈ，Ｊ，Ｌに係止された状態が示されている。この状態から編地の編幅方向の伸びを抑制する抑制部４（Ｓ４を参照）を編成する。まず、抑制部４の編成を開始する基準となる第一編目１１を決定する。本実施形態では、ＦＢの編針Ｂに係止されている編目を第一編目１１とする。また本実施形態では、ＦＢの編針Ｄに係止される編目を、後述する伏目処理の際に第一編目１１と重ねられる第二編目１２とする。第二編目１２は、ＦＢ上で第一編目１１に対して寄せ方向ＤＲに近接する編目である。
【００２０】
Ｓ１では、ＦＢの編針Ｂに係止される第一編目１１を寄せ方向ＤＲに移動させ、ＦＢの編針Ｄに係止される第二編目１２と重ね合わせる（１回目の工程α１相当）。第一編目１１の移動には、編目の目移しとＢＢのラッキングを利用する。このＳ１によって、ＦＢの編針Ｄには、第一編目１１と第二編目１２とからなる重ね目１３が形成される。
【００２１】
Ｓ２では、ＦＢの編針Ｂに掛け目（新規ベース編目１４）を編成すること、およびＦＢの編針Ｄに形成されている重ね目１３のウエール方向に続く止め編目１５を編成することを連続して行う（１回目の工程α２相当）。新規ベース編目１４の形成と止め編目１５の編成を連続して行なうことで、新規ベース編目１４が止め編目１５に直接繋がった状態、即ち新規ベース編目１４が止め編目１５から分岐した状態になる。なお、掛け目のウエール方向に連続して編目を編成し、その編目を新規ベース編目１４としても良い。その場合、抑制部４に小さなメッシュ孔を形成することができる。
【００２２】
次のＳ３，Ｓ４では、上述したＳ１，Ｓ２と同様の編成を繰り返す。その繰り返しにあたって、Ｓ２においてＦＢの編針Ｄで編成した止め編目１５を新たな第一編目１１と見做す。また、その第一編目１１（止め編目１５）に対して寄せ方向ＤＲに近接するＦＢの編針Ｆの編目を第二編目１２とする。ここで、Ｓ２において新規ベース編目１４が止め編目１５から分岐した状態となっており、止め編目１５を新たな第一編目１１と見做すことから、新規ベース編目１４が第一編目１１から分岐した状態となっていると言える。
【００２３】
Ｓ３では、ＦＢの編針Ｄに係止される第一編目１１を寄せ方向ＤＲに移動させ、ＦＢの編針Ｆに係止される第二編目１２と重ね合わせる（２回目の工程α１相当）。このＳ３によって、ＦＢの編針Ｆには、第一編目１１と第二編目１２とからなる重ね目１３が形成される。
【００２４】
Ｓ４では、ＦＢの編針Ｄに掛け目（新規ベース編目１４）を形成すること、およびＦＢの編針Ｆに形成されている重ね目１３のウエール方向に続く止め編目１５を編成することを連続して行う（２回目の工程α２相当）。
【００２５】
以上説明したように、伏目処理を１回行うごとに、新規ベース編目１４の編成を１回行うことで抑制部４を形成することができる（Ｓ４参照）。さらに、抑制部４を寄せ方向ＤＲに延伸するのであれば、Ｓ４に示すように、ＦＢの編針Ｆの止め編目１５を第一編目１１とし、ＦＢの編針Ｈの編目を第二編目１２として、Ｓ３，Ｓ４と同様の編成を行えば良い。
【００２６】
≪効果≫
図１の編成工程に従って編成された抑制部４は、編地の編幅方向に伸び難くなっている。それは、抑制部４の形成にあたり伏目処理によって重ね目１３が形成されており、重ね目１３を構成する第一編目１１と第二編目１２とが互いの動きを拘束し合うからである。
【００２７】
また、抑制部４は、伏目処理によって針床から外されていく第一編目１１から分岐する新規ベース編目１４が、第一編目１１に代わって針床に係止されていくことで形成される。その新規ベース編目１４に続いて編地の編成を継続することができるため、伏目処理を利用しているにも拘らず編地のウエール方向の途中に抑制部４を形成することができる。
【００２８】
なお、抑制部４はウエール方向に連続して形成することもできる。その場合、新規ベース部１４に対して、図１に示す編成工程を実施すれば良い。抑制部４を連続して形成することで、抑制部４の伸び止め効果を向上させることができる。
【００２９】
＜実施形態２＞
実施形態２では、抑制部４において伏目処理される部分から新規ベース編目１４を分岐させるにあたり、割増しを利用する本発明の編地の編成方法を、図２の編成工程図に基づいて説明する。
【００３０】
Ｔ０には、編成途中にある編地の編目が、ＦＢの編針Ｂ，Ｄ，Ｆ，Ｈ，Ｊ，Ｌに係止された状態が示されている。この状態から編地の編幅方向の伸びを抑制する抑制部４（Ｔ５を参照）を編成する。まず、抑制部４の編成を開始する基準となる第一編目１１を決定する。本実施形態では、ＦＢの編針Ｂに係止されている編目を第一編目１１とする。また本実施形態では、第一編目１１に対して寄せ方向ＤＲに並ぶＦＢの編針Ｄ，Ｆ，Ｈ，Ｊ，Ｌに係止される編目を寄せ側編目２０とする。寄せ側編目２０として選択する編目の数が、抑制部４の幅を決定する。
【００３１】
Ｔ１では、ＦＢの編針Ｂの第一編目１１、およびＦＢの編針Ｄ，Ｆ，Ｈ，Ｊ，Ｌの寄せ側編目２０に連続して割増しを行なう（工程β１相当）。割増しによって、第一編目１１、および寄せ側編目２０はそれぞれ、ＢＢの編針Ｂ、およびＢＢの編針Ｄ，Ｆ，Ｈ，Ｊ，Ｌに目移しされる。また、割増しによって、第一編目１１から引き出された新規ベース編目１４がＦＢの編針Ｂに編成され、かつＢＢの編針Ｄ，Ｆ，Ｈ，Ｊ，Ｌの各寄せ側編目２０から引き出された新規ベース編目１４がＦＢの編針Ｄ，Ｆ，Ｈ，Ｊ，Ｌに編成される。このＴ１の割増しによって、第一編目１１から分岐する新規ベース編目１４が編成される。
【００３２】
Ｔ２では、ＢＢの編針Ｂの第一編目１１を寄せ方向ＤＲに移動させ、ＢＢの編針Ｄで寄せ側編目２０（Ｔ１参照）と重ね合わせて、重ね目１３を形成する（１回目の工程β２相当）。Ｔ１における編針Ｄの寄せ側編目２０は、第一編目１１の寄せ方向ＤＲに近接する第二編目１２である。ここで、ＢＢの編針Ｄの寄せ側編目２０（第二編目１２）はＴ１の割増しによってＦＢからＢＢに移された編目であって、Ｔ１に示すようにその寄せ側編目２０（第二編目１２）からＦＢの編針Ｄの新規ベース編目１４が分岐した状態となっている。
【００３３】
Ｔ３では、Ｔ２において形成した重ね目１３のウエール方向に連続する止め編目１５を編成する（１回目の工程β３相当）。この止め編目１５の編成によって、１回目の伏目処理が終了する。
【００３４】
次のＴ４，Ｔ５では、上述したＴ２，Ｔ３と同様の編成を繰り返す。その繰り返しにあたって、Ｔ３においてＢＢの編針Ｄで編成した止め編目１５を新たな第一編目１１と見做す。また、その第一編目１１（止め編目１５）に対して寄せ方向ＤＲに近接するＢＢの編針Ｆの寄せ側編目２０を第二編目１２とする。
【００３５】
Ｔ４では、ＢＢの編針Ｄに係止される第一編目１１を寄せ方向ＤＲに移動させ、ＢＢの編針Ｆに係止される第二編目１２と重ね合わせる（２回目の工程β２相当）。このＴ４によって、ＢＢの編針Ｆには、第一編目１１と第二編目１２とからなる重ね目１３が形成される。
【００３６】
Ｔ５では、Ｔ４において形成した重ね目１３のウエール方向に連続する止め編目１５を編成する（２回目の工程β３相当）。この止め編目１５の編成によって、２回目の伏目処理が終了する。以降は、Ｔ４，Ｔ５と同様の編成を繰り返し、抑制部４を完成させると良い。抑制部４が完成した後は、針床に係止される新規ベース部１４に続いて編地の編成を継続すれば良い。
【００３７】
以上説明した編成工程によっても、編地のウエール方向の途中に、編地の編幅方向の伸びが抑制された抑制部４を形成することができる。また、抑制部４における伏目処理される部分から新規ベース編目１４を分岐させる際に割増しを利用することで、抑制部４の編目の間隔を詰めることができる。
【００３８】
また、本実施形態の編成工程によれば、伏目処理が新規ベース編目１４の裏側で行なわれるため、抑制部４を目立たなくすることができる。
【００３９】
＜実施形態３＞
実施形態２では、抑制部４の編成開始時に複数回の割増しを一気に行うことで、抑制部４に備わる全ての新規ベース編目１４を一度に編成した。これに対して、実施形態３では、新規ベース編目１４を編成する割増しを１回行うごとに伏目処理を行う本発明の編地の編成方法を、図３の編成工程図に基づいて説明する。
【００４０】
Ｕ０には、編成途中にある編地の編目が、ＦＢの編針Ｂ，Ｄ，Ｆ，Ｈ，Ｊ，Ｌに係止された状態が示されている。この状態から編地の編幅方向の伸びを抑制する抑制部４（Ｕ６を参照）を編成する。まず、抑制部４の編成を開始する基準となる第一編目１１を決定する。本実施形態では、ＦＢの編針Ｂに係止されている編目を第一編目１１とする。
【００４１】
Ｕ１では、ＦＢの編針Ｂの第一編目１１に対して割増しを行なう（１回目の工程γ１相当）。割増しによって、第一編目１１は、ＢＢの編針Ｂに目移しされる。また、割増しによって、第一編目１１から引き出された新規ベース編目１４がＦＢの編針Ｂに編成される。
【００４２】
Ｕ２では、ＢＢの編針Ｂの第一編目１１を寄せ方向ＤＲに移動させ、ＦＢの編針Ｄで第二編目１２（Ｕ１参照）と重ね合わせて、重ね目１３を形成する（１回目の工程γ２相当）。第二編目１２は、Ｕ０において第一編目１１の寄せ方向ＤＲに近接していた編目、即ち第一編目１１に割増しを行なう前に第一編目１１の寄せ方向ＤＲに近接していた編目である。
【００４３】
Ｕ３では、Ｕ２において形成した重ね目１３のウエール方向に連続する止め編目１５を編成する（１回目の工程γ３相当）。この止め編目１５の編成によって、１回目の伏目処理が終了する。
【００４４】
次のＵ４〜Ｕ６では、上述したＵ１〜Ｕ３と同様の編成を繰り返す。その繰り返しにあたって、Ｕ４では、Ｕ３においてＦＢの編針Ｄで編成した止め編目１５を新たな第一編目１１と見做し、割増しを行なう（２回目の工程γ１相当）。また、その第一編目１１（止め編目１５）に対して寄せ方向ＤＲに近接するＦＢの編針Ｆの編目を第二編目１２とする。
【００４５】
Ｕ５では、ＢＢの編針Ｄに係止される第一編目１１を寄せ方向ＤＲに移動させ、ＦＢの編針Ｆに係止される第二編目１２と重ね合わせる（２回目の工程γ２相当）。このＵ５によって、ＦＢの編針Ｆには、第一編目１１と第二編目１２とからなる重ね目１３が形成される。
【００４６】
Ｕ６では、Ｕ５において形成した重ね目１３のウエール方向に連続する止め編目１５を編成する（２回目の工程γ３相当）。この止め編目１５の編成によって、２回目の伏目処理が終了する。以降は、Ｕ４〜Ｕ６と同様の編成を繰り返し、抑制部４を完成させると良い。抑制部４が完成した後は、針床に係止される新規ベース部１４に続いて編地の編成を継続すれば良い。
【００４７】
以上説明した編成工程によっても、編地のウエール方向の途中に、編地の編幅方向の伸びが抑制された抑制部４を形成することができる。また、抑制部４における伏目処理される部分から新規ベース編目１４を分岐させる際に割増しを利用することで、抑制部４の編目の間隔を詰めることができる。
【００４８】
＜実施形態４＞
実施形態４では、シューズアッパーの編成に、本発明の編地の編成方法を適用した例を図４に基づいて説明する。
【００４９】
≪全体構成≫
図４に示す本実施形態のシューズアッパー１（編地）は、着用者の足の甲側の部分を覆うインステップカバー部３と、着用者の足裏の部分を覆うソールカバー部２と、を備える。インステップカバー部３には、履き口５ｉと、履き口５ｉから爪先に向かって延びるスリット５ｓと、が形成されており、履き口５ｉから足を挿入し易くなっている。そして、このシューズアッパー１では、インステップカバー部３におけるスリット５ｓの縁部近傍から側方に延びる複数の抑制部４が形成されている。もちろん、抑制部４の形成位置・形成範囲は限定されるわけではない。例えば、抑制部４は爪先側に形成されていても良い。また、図４の抑制部４がインステップカバー部３とソールカバー部２との境界位置を超えてソールカバー部２に至っていても良い。
【００５０】
≪シューズアッパーの作製手順≫
上記シューズアッパー１は、インステップカバー部３とソールカバー部２の右側部分１Ｒを横編機の一方の針床で編成し、インステップカバー部３とソールカバー部２の左側部分１Ｌを他方の針床で編成することで作製することができる。例えば、シューズアッパー１の爪先側から編成を開始し、筒状編成などによってスリット５ｓの切込み端の位置までシューズアッパー１を編成する。
【００５１】
次いで、Ｃ字状の引き返し編成によって右側部分１Ｒと左側部分１Ｌを編成すると共に、所定の位置で図１〜図３を用いて説明した本発明の編地の編成方法を用いて抑制部４を形成する。既に述べたように、抑制部４に続いてさらに編地を編成することができるため、抑制部４によってシューズアッパー１の編成が中断されることはなく、シューズアッパー１を無縫製で一体に編成することができる。
【００５２】
図４における最も踵側に配置される抑制部４を形成した後は、シューズアッパー１の踵に向かってシューズアッパー１の編成を継続し、シューズアッパー１を完成させる。なお、シューズアッパー１は踵側から編み出して、爪先側で編み終わっても構わない。
【００５３】
≪シューズアッパーの効果≫
上述した編成手順に従って編成されたシューズアッパー１では、シューズアッパー１の側方の伸びが抑制部４によって抑制されている。この部分の伸びが抑制されると、シューズアッパー１が形崩れし難く、着用者の足に対するシューズアッパー１のフィット性が向上する。
【００５４】
≪その他≫
シューズアッパー１を構成する編糸は熱融着糸を含むことが好ましい。そうすることで、シューズアッパー１を編成し終わった後、シューズアッパー１を型にはめて熱処理することで、シューズアッパー１を立体的に成形することができる。
【符号の説明】
【００５５】
１  シューズアッパー  １Ｒ  右側部分  １Ｌ  左側部分
２  ソールカバー部  ３  インステップカバー部
４  抑制部
５ｉ  履き口  ５ｓ  スリット
１１  第一編目  １２  第二編目  １３  重ね目  １４新規ベース編目
１５  止め編目  ２０  寄せ側編目
ＤＲ  寄せ方向
【図１】
0005875735.tif 000002
【図２】
0005875735.tif 000003
【図３】
0005875735.tif 000004
【図４】
0005875735.tif 000005